(57)【要約】      （修正有）【課題】従来の如きスライドスペースを必要とすることなく、統一された一定のパターンでコンパクトにカレンダーを出し入れ収納することができる、斬新でお洒落な回転式カレンダーを提供する。【解決手段】カレンダーケース１は、表面ケース部（前身頃部）１ａと裏面ケース部（後身頃部）１ｂとの間に、カレンダー２及び月変更ダイヤル３を回動自在に狭持せしめると共に、カレンダー２の出し入れが円滑にできるように同ケース１の左側端に開放空間部を形成せしめる。カレンダー２は、月初めが各曜日毎で異なる７種類の暦札から構成され、表面に曜日表示と日表示が表示されている。また、同カレンダー２には、直立するカレンダーケース１に対し水平位置で同ケース１の側壁遊端縁１ａ２に嵌合すべく切欠部が形成されている。【選択図】図１
0003137022.tif 000002
【実用新案登録請求の範囲】
【請求項１】
所定大きさのカレンダーケースと、該カレンダーケース内に回動自在に出し入れされるカレンダーとを備えたことを特徴とする回転式カレンダー。
【請求項２】
所定大きさのカレンダーケースと、該カレンダーケース内に回動自在に出し入れされるカレンダーとを備えてなる回転式カレンダーにおいて、
前記カレンダーは、月初めが各曜日毎で異なる７種類の暦札からなり、直立するカレンダーケースに対して水平位置で同ケースの遊端縁に係止される切欠部を有することを特徴とする回転式カレンダー。
【請求項３】
前記カレンダーケースは、表面ケース部と裏面ケース部との間に７種類のカレンダー及び月変更ダイヤルを回動自在に狭持してなることを特徴とする請求項１又は２に記載の回転式カレンダー。
【請求項４】
前記カレンダーケースは、カレンダーを回動自在に収納するための開放空間部と、１月から１２月までを示す数字及び／又は文字が表示された回動式の月変更ダイヤルと、該月変更ダイヤルの月表示部分に合わせて開口された月表示窓部とを備えたことを特徴とする請求項１、２又は３に記載の回転式カレンダー。
【考案の詳細な説明】
【技術分野】
【０００１】
本考案は、カレンダーの改良に関し、更に詳しくは、スライドスペースを必要とすることなくコンパクトにカレンダーを出し入れ収納することができる斬新でお洒落な回転式カレンダーに関する。
【背景技術】
【０００２】
従来、斯かるカレンダーとしては、例えば、「１」から「３１」までの日付の数字が示された日表示を固定した状態で「月」から「日」までの曜日表示を移動させ、或いは同曜日表示を固定した状態で前記日表示を移動させる方式（以下、単にスライド方式という）や、これら日表示や曜日表示等の張替えを行なう方式（以下、単に張替方式という）が挙げられる（例えば、特許文献１参照）。
【特許文献１】実開平０７−１４４６８号公報
【考案の開示】
【考案が解決しようとする課題】
【０００３】
しかしながら、上述した従来のカレンダーのうち、前例のスライド方式の場合は、曜日表示を固定した状態で日表示を直線的にスライドさせた際、日表示用の部材を７曜日(月〜日)分変位させるための大きなスライドスペースが必要となり、また、スライドの大きさ(摺動幅)によって本体からの出っ張り具合が異なってしまうため、外観的に統一性がなく、バランス的にも見栄えが悪いといった問題がある。
【０００４】
また、後例の張替方式の場合は、張り替えた後に日表示や曜日表示等の部材が欠損したり、意に反して紛失してしまうことが危惧されており、欠損や紛失することなくコンパクトに使用できるお洒落な万年カレンダーが要望されている。
【０００５】
本考案はこのような従来の問題点及び要望に鑑みてなされたもので、従来の如きスライドスペースを必要とすることなく統一された一定のパターンでコンパクトにカレンダーを出し入れ収納することができる斬新でお洒落な回転式カレンダーを提供することを目的としたものである。
【課題を解決するための手段】
【０００６】
上述の如き従来の問題点を解決し、所期の目的を達成するため本考案の要旨とする構成は、所定大きさのカレンダーケースと、該カレンダーケース内に回動自在に出し入れされるカレンダーとを備えてなる回転式カレンダーに存する。
【０００７】
また、前記カレンダー本体は、月初めが各曜日毎で異なる７種類の暦札からなり、直立するカレンダーケースに対し水平位置で同ケースの遊端縁に係止される切欠部を設けるのが良い。
【０００８】
更に、前記カレンダーケースは、カレンダーを回動自在に収納するための開放空間部と、１月から１２月を示す数字及び／又は文字が表示された回動式の月変更ダイヤルと、該月変更ダイヤルの月表示部分に合わせて開口された月表示窓部とを備えるのが良い。
【考案の効果】
【０００９】
本考案は上述のように構成され、所定大きさのカレンダーケースと、該カレンダーケース内に回動自在に出し入れされるカレンダーとを備えたことによって、カレンダーを回動させるだけの簡単操作で、同カレンダーをカレンダーケース内に完全に出し入れすることができるため、従来の如きスライドスペースを一切不要としたコンパクトな回転式カレンダーを提供できることとなった。
【００１０】
また、前記カレンダーは、月初めが各曜日毎で異なる７種類の暦札からなり、直立するカレンダーケースに対し水平位置で同ケースの遊端縁に係止される切欠部を設けたことによって、その月に該当するカレンダーを選択して回動するだけの簡単操作で、カレンダーを水平状態に保持できるため、何れの月でも統一された一定のパターンでカレンダーを飾れるなど、バランス的にも見栄えの良いお洒落な回転式カレンダーを提供できる。
【００１１】
更に、前記カレンダーケースは、表面ケース部と裏面ケース部との間に７種類のカレンダー及び月変更ダイヤルを回動自在に狭持してなることによって、従来の如きカレンダーの欠損や紛失の危惧が解消されると共に、構成が単純であるため、大量生産に適し価格も低廉なものとして需用者に供給できるなど、カレンダーの出し入れ及び月名の変更が簡単、かつ、コンパクトにできる回転式カレンダーを提供できる。
【００１２】
また、前記カレンダーケースは、カレンダーを回動自在に収納するための開放空間部と、１月から１２月を示す数字及び／又は文字が表示された回動式の月変更ダイヤルと、該月変更ダイヤルの月表示部分に合わせて開口された月表示窓部とを備えたことによって、カレンダーの出し入れが簡単かつコンパクトにできるのみならず、該当するカレンダーに合わせて月変更ダイヤルを切り換えるだけで、万年カレンダーとして永年の使用が可能になるといった効果を奏する。
【考案を実施するための最良の形態】
【００１３】
少なくとも日表示と曜日表示が示されたカレンダーと、該カレンダーを回動自在に収納せしめるカレンダーケースとを備え、前記カレンダーは、月初めが各曜日毎で異なる７種類の暦札からなり、直立するカレンダーケースに対し水平位置で同ケースの遊端縁に嵌合される切欠部を有する。前記カレンダーケースは、表面ケース部と裏面ケース部との間に７種類のカレンダー及び月変更ダイヤルを回動自在に狭持し、かつ、カレンダー本体を回動自在に収納するための開放空間部と、前記月変更ダイヤルの月表示と整合すべく開口された月表示窓部とを備えるのが良い。
【実施例】
【００１４】
次に本考案の実施の一例を図面を参照しながら説明する。図中Ａは、本考案に係る回転式カレンダーであり、この回転式カレンダーＡは、図１に示すように、所定大きさのカレンダーケース１と、該カレンダーケース１に回動自在に装着されたカレンダー２とを備えている。
【００１５】
カレンダーケース１は、合成樹脂材若しくは金属等の適宜素材から形成されており、図１及び図３に示すように、表面ケース部（前身頃部）１ａと裏面ケース部（後身頃部）１ｂとの間に、７種類のカレンダー２及び月変更ダイヤル３が回動自在に狭持されている。
【００１６】
表面ケース部１ａは、図３及び図４(ａ)に示すように、カレンダーケース１の右側面を閉塞するための側壁１ａ１  と、該側壁１ａ１  に所定間隔を介して凹設された嵌合孔１ａ３  ，１ａ３  …と、後述する月表示位置に整合すべく開口された横長の月表示窓部１ａ４  と、後述する月変更ダイヤルを回動自在に支持するための短円筒状の連結段差部１ａ５  と、裏面ケース部１ｂに対して回動不能状態に嵌合するため一対の連結突起１ａ６  ，１ａ６  とを備えている。
【００１７】
一方、裏面ケース部１ｂは、図３及び図５(ｂ)に示すように、前記表面ケース部１ａの嵌合孔１ａ３  ，１ａ３  …に整合される嵌合突起１ｂ１  ，１ｂ１  …と、円状の段差部１ｂ２  を介して突設されたカレンダー回動突起１ｂ３  と、該カレンダー回動突起１ｂ３  の上に連設されたダイヤル回動突起１ｂ４  と、前記表面ケース部１ａの連結突起１ａ６  ，１ａ６  を回動不能状態に凹設された一対の連結凹部１ｂ５  とを備えている。
【００１８】
他方、カレンダー２は、表面に曜日表示２ａと日表示２ｂが表示されており、月初めが各曜日毎で異なる７種類の暦札から構成されている。また、このカレンダー２には、図４(ｂ)に示すように、前記カレンダー回動突起１ｂ３  に回動自在に嵌合される連結孔２ｃと、直立するカレンダーケース１に対し水平位置で同ケース１の側壁遊端縁１ａ２  に嵌合すべく形成された切欠部２ｄとが設けられている。
【００１９】
また、月変更ダイヤル３は、図５(ａ)に示すように、表面には１月〜１２月を示す数字並びに英語文字からなる月表示３ａが放射状に明示されており、裏面には、円筒状の段差部３ｂを介して前記裏面ケース部１ｂの回動突起１ｂ４  に回動自在に遊嵌される連結孔３ｄが形成されている。
【００２０】
このように構成される本考案の回転式カレンダーＡは、カレンダー２がカレンダーケース１内に収納されている状態から(図２参照)、該当する月のカレンダー２を選択して右方向に回動させるだけの簡単操作で、同カレンダー２の切欠部２ｄが同ケース１の側壁遊端部１ａ２  に係合されてカレンダー２を水平状態に保持することができるため(図１参照)、何れの月でも統一された一定のパターンでカレンダー２を提供できる。
【００２１】
因に、カレンダー２を必要としない時は、同カレンダー２を逆方向（左方向）に回動させるだけでカレンダーケース１内の基の位置にコンパクトに収納することができる。尚、図７中、４は開放空間部であり、カレンダー２の出し入れが円滑にできるようにカレンダーケース１の左側端の全てが開放されている。
【００２２】
尚、本考案の回転式カレンダーは、本実施例に限定されることなく、本考案の目的の範囲内で自由に設計変更し得るものであり、本考案はそれらの全てを包摂するものである。
【図面の簡単な説明】
【００２３】
【図１】本考案に係る回転式カレンダーを示す斜視図である。
【図２】カレンダーを収納した状態を示す回転式カレンダーの斜視図である。
【図３】同回転式カレンダーの組立分解説明図である。
【図４】図４(ａ)は表面ケース部の裏面を示す説明図、図４(ｂ)はカレンダー全体を示す正面図である。
【図５】図５(ａ)は月変更ダイヤルを示す正面図、図５(ｂ)は同ダイヤルの裏面図である。
【図６】同回転式カレンダーの右側面図である。
【図７】同回転式カレンダーの左側面図である。
【符号の説明】
【００２４】
１  カレンダーケース
１ａ  表面ケース部
１ａ１  側壁
１ａ２  側壁遊端縁
１ａ３  嵌合孔
１ａ４  月表示窓部
１ａ５  連結段差部
１ａ６  連結突起
１ｂ  裏面ケース部
１ｂ１  嵌合突起
１ｂ２  段差部
１ｂ３  カレンダー回動突起
１ｂ４  ダイヤル回動突起
１ｂ５  連結凹部
２  カレンダー
２ａ  曜日表示
２ｂ  日表示
２ｃ  連結孔
２ｄ  切欠部
３  月変更ダイヤル
３ａ  月表示
３ｂ  段差部
３ｃ  段差部
３ｄ  連結孔
４  開放空間部
【図１】
0003137022.tif 000003
【図２】
0003137022.tif 000004
【図３】
0003137022.tif 000005
【図４】
0003137022.tif 000006
【図５】
0003137022.tif 000007
【図６】
0003137022.tif 000008
【図７】
0003137022.tif 000009